(57)【要約】【目的】バンカーに入ったゴルフボールを素人でもバンカーから容易に出すことができるサンドウェッジのクラブヘッドを提供する。【解決手段】クラブヘッドの本体２０の中央のフェースに表側から裏側に貫通する空間２２を形成する。本体２０の空間２２の周囲に表側から裏側に貫通する多数の通し穴３４を形成し、紐状部材３６を多数の通し穴３４に通して、ゴルフボールを打つための網目状打撃部３８と網目空間４０と、空間２２と連絡する網目空間４０とを形成する。本願発明のサンドウェッジを、バンカーで使用した場合には、砂が網目空間４０を通過するので、打撃部３８で砂を掬うことなくゴルフボールを直接打つことができる。【選択図】  図１
2010220864.tif 000002
【特許請求の範囲】
【請求項１】
クラブヘッド本体と、前記クラブヘッド本体におけるフェースの位置に形成されるものであって表側から裏側に貫通する空間と、前記空間に備えられるものであって前記本体と連結する網目状の打撃部と、前記網目状の打撃部の間に形成される多数の網目空間と、を有することを特徴とするサンドウェッジのクラブヘッド。
【請求項２】
前記空間の周囲の前記クラブヘッド本体に表側から裏側に貫通する多数の通し穴を形成し、細長く柔軟な紐状部材を前記多数の通し穴に順に通して前記紐状部材で前記網目状の打撃部とその網目状の打撃部の間の多数の網目空間とを形成することを特徴とする請求項１記載のサンドウェッジのクラブヘッド。
【請求項３】
前記紐状部材を樹脂製のガットまたは金属製のワイヤで形成することを特徴とする請求項２記載のサンドウェッジのクラブヘッド。
【請求項４】
前記クラブヘッド本体における前記空間の周囲の表側箇所を、前記空間に近い位置の内側環状部とその内側環状部の外側位置の外側環状部とし、前記多数の通し穴を前記内側環状部に形成し、前記内側環状部を前記外側環状部に対して相対的に後側に凹ませたことを特徴とする請求項２または３記載のサンドウェッジのクラブヘッド。
【請求項５】
前記クラブヘッド本体における前記空間の周囲の裏側箇所を、前記空間に近い位置の内側環状部とその内側環状部の外側位置の外側環状部とし、前記多数の通し穴を前記内側環状部に形成し、前記内側環状部を前記外側環状部に対して相対的に表側に凹ませたことを特徴とする請求項２または３記載のサンドウェッジのクラブヘッド。
【請求項６】
前記クラブヘッド本体における前記空間の周囲の裏側の外側環状部に、補強部材を固定手段で着脱自在に固定することを特徴とする請求項５記載のサンドウェッジのクラブヘッド。
【請求項７】
前記補強部材の形状をアルファベットや数字や図形としたことを特徴とする請求項６記載のサンドウェッジのクラブヘッド。
【請求項８】
前記打撃部を前記クラブヘッド本体と一体に成形し、全ての網目空間の貫通方向を同一方向としたことを特徴とする請求項１記載のサンドウェッジのクラブヘッド。
【発明の詳細な説明】
【技術分野】
【０００１】
本発明は、ゴルフのサンドウェッジのクラブヘッドに関するものである。
【背景技術】
【０００２】
バンカーにゴルフボールが入った場合に、バンカーからゴルフボールを出すために、サンドウェッジが用いられている。サンドウェッジでは、クラブヘッドは、ソールに対してフェースの角度が、９番アイアンの角度よりも鋭角の角度に設定したものである。サンドウェッジでゴルフボールを打つと、ゴルフボールの上方に飛ぶ角度が高くなり、バンカーからゴルフボールを出すことができるものである。サンドウェッジのクラブヘッドは、例えば特許文献１に示されている。
【先行技術文献】
【特許文献】
【０００３】
【特許文献１】特開平８−２８０８５６
【発明の概要】
【発明が解決しようとする課題】
【０００４】
プロゴルファーや上級者の素人ならサンドウェッジのフェース（ゴルフボールを打撃する面）をゴルフボールに直接当てることができるため、理想に近い軌跡を描いてゴルフボールをバンカーから出すことができる。しかし、上級者でない素人の場合には技術が伴わないために、バンカーでサンドウェッジを使用すると、往々にしてサンドウェッジのフェースが砂を掬ってしまうことがある。サンドウェッジのフェースで例えば１ｃｍ〜２ｃｍの厚さの砂を掬いながらゴルフボールを打ち上げると、フェースで掬った砂が障害となってゴルフボールは上方に上がらず、その結果として、ゴルフボールはバンカーの壁に阻まれ、再びバンカーに戻ってしまう。この結果、ゴルフボールがバンカーに入った場合には、バンカーからゴルフボールを出すだけで、素人は数ストローク余分に打ってしまい、バンカーでスコアを悪くすることが往々にして発生していた。
【０００５】
本発明は、バンカーに入ったゴルフボールを素人でもバンカーから容易に出すことができるサンドウェッジのクラブヘッドを提供するものである。
【課題を解決するための手段】
【０００６】
本発明に係るサンドウェッジのクラブヘッドは、クラブヘッド本体と、前記クラブヘッド本体におけるフェースの位置に形成されるものであって表側から裏側に貫通する空間と、前記空間に備えられるものであって前記本体と連結する網目状の打撃部と、前記網目状の打撃部の間に形成される多数の網目空間と、を有することを特徴とするものである。本発明は、前記空間の周囲の前記クラブヘッド本体に表側から裏側に貫通する多数の通し穴を形成し、細長く柔軟な紐状部材を前記多数の通し穴に順に通して前記紐状部材で前記網目状の打撃部とその網目状の打撃部の間の多数の網目空間とを形成することを特徴とするものである。本発明は、前記紐状部材を樹脂製のガットまたは金属製のワイヤで形成することを特徴とするものである。本発明は、前記クラブヘッド本体における前記空間の周囲の表側箇所を、前記空間に近い位置の内側環状部とその内側環状部の外側位置の外側環状部とし、前記多数の通し穴を前記内側環状部に形成し、前記内側環状部を前記外側環状部に対して相対的に後側に凹ませたことを特徴とするものである。本発明は、前記クラブヘッド本体における前記空間の周囲の裏側箇所を、前記空間に近い位置の内側環状部とその内側環状部の外側位置の外側環状部とし、前記多数の通し穴を前記内側環状部に形成し、前記内側環状部を前記外側環状部に対して相対的に表側に凹ませたことを特徴とするものである。本発明は、前記クラブヘッド本体における前記空間の周囲の裏側の外側環状部に、補強部材を固定手段で着脱自在に固定することを特徴とするものである。本発明は、前記補強部材の形状をアルファベットや数字や図形としたことを特徴とするものである。本発明は、前記打撃部を前記クラブヘッド本体と一体に成形し、全ての網目空間の貫通方向を同一方向としたことを特徴とするものである。
【発明の効果】
【０００７】
本発明のサンドウェッジのクラブヘッドでは、クラブヘッドのフェースを、クラブヘッド本体に連結する網目状の打撃部と、その打撃部の網目状の間に形成される多数の貫通する網目空間とから形成するものである。ゴルファーが本発明のクラブヘッドに係るサンドウェッジを使用した場合に、クラブヘッドがバンカーに食い込んでフェースがバンカーの砂を掬う状態となっても、砂は網目空間を通って抜けてゆくので、ゴルフボールと網目状の打撃部との間に砂が存在しなくなり、砂を介在させることなく打撃部でゴルフボールを打つことができるようになる。この結果、所望のベクトル方向にゴルフボールを打ち上げることが可能となり、素人でもバンカーから容易にゴルフボールを出すことができる。
【０００８】
網目状の打撃部を、テニスラケットやバドミントン等に使用するガットやワイヤ等の紐状部材で構成することで、各網目空間の面積を広くすることが可能となり、クラブヘッドがバンカーに食い込んでバンカーの砂を掬う状態となっても、網目空間から砂を容易に後方に抜けさせることができる。よって、所望のベクトル方向にゴルフボールを打ち上げることができ、素人でもバンカーから容易にゴルフボールを出すことができる。打撃部をガットやワイヤ等の紐状部材とすることで、打撃部の強度を強くし、クラブヘッドの重量を軽くすることができる。なお、打撃部をガットやワイヤ等の紐状部材で構成すると、クラブヘッド本体の重量が少なくなり、クラブヘッド本体の強度が弱くなるおそれがあることから、クラブヘッド本体の裏側に補強部材を着脱自在に取付けるようにする。この補強部材をクラブヘッド本体に取付けることによって、クラブヘッド本体の重量の増加と強度の補強とを行うことが可能になる。更に、補強部材の形状をアルファベットや数字とすることで、クラブ所有者の識別が容易となり、クラブの取り違えを防止することができる。その上、補強部材の形状をアルファベットや数字や図形とすることでクラブ所有者を特定できるので、例えばイニシャルのアルファベットを取付けることで、プレゼントにも利用することができる。
【０００９】
フェースに形成する打撃部をクラブヘッド本体と一体に成形し、全ての網目空間の型抜き方向を同一方向とすることで、型成形が可能となり、コストダウンを図ることができる。
【図面の簡単な説明】
【００１０】
【図１】本発明に係るサンドウェッジのクラブヘッドの実施例１を示す正面図である。
【図２】図１の状態から紐状部材を外した状態を示す断面図である。
【図３】図１に示す紐状部材の組み立て状態を示す立体構成図である。
【図４】図３に示す紐状部材のクラブヘッド本体への張設状態を示す構成図である。
【図５】図２に示すクラブヘッド本体に補強部材を取付ける状態を示す断面図である。
【図６】図５に示すクラブヘッド本体に補強部材を取付けた状態を示す背面図である。
【図７】本発明に係るサンドウェッジのクラブヘッドの第２実施例を示す正面図である。
【図８】図７のクラブヘッド本体の縦断面図である。
【発明を実施するための形態】
【００１１】
本発明のサンドウェッジは、クラブヘッド本体で掬った砂をフェースに相当する箇所を通過させ、砂を介在させずに打撃部でゴルフボールを直接打つことを可能にするものである。
【実施例１】
【００１２】
次に、本発明のサンドウェッジのクラブヘッドを図面に基づいて説明する。図１は、本発明に係るサンドウェッジのクラブヘッドの正面図、図２は図１の状態からガットを外した状態を示す断面図である。この実施例１のサンドウェッジのクラブヘッドでは、クラブヘッド本体２０（以下、「本体２０」とする）の素材は、一般にスレンレスを用いるが、ステンレスに限らず、鉄やアルミ二ウムやプラスチック等の剛性のあるものを用いても良い。本体２０のフェース（ゴルフボールを打撃する箇所）に相当する位置には、表側から裏側に向けて前後に貫通する空間２２が形成される。
【００１３】
フェースに相当する箇所に空間２２を形成したことにより、図１及び図２に示すように、本体２０の空間２２の周囲は、枠状の環状部２４となる。本体２０の環状部２４の表側は、図２に示すように、空間２２の直ぐ外側の内側環状部２６と、その内側環状部２６の直ぐ外側の外側環状部２８とから構成する。内側環状部２６は外側環状部２８より例えば約２ミリ裏側に向けて凹んだ状態に形成する。即ち、内側環状部２６と外側環状部２８との境目に段差を形成する。同様に、本体２０の環状部２４の裏側は、図２に示すように、空間２２の直ぐ外側の内側環状部３０と、その内側環状部３０の直ぐ外側の外側環状部３２とから成る。内側環状部３０は外側環状部３２より例えば約２ミリ表側に向けて凹んだ状態に形成する。即ち、内側環状部３０と外側環状部３２との境目に段差を形成する。また、表側の内側環状部２６と外側環状部２８の形状は、裏側の内側環状部３０と外側環状部３２の形状の形状と、対称に形成する。表側の内側環状部２６と裏側の内側環状部３０との間に、表側から裏側に貫通する多数の通し穴３４を形成する。内側環状部２６，３０における通し穴３４の形成位置は、内側環状部２６，３０と外側環状部２８，３２との段差に近い位置とするのが望ましい。
【００１４】
通し穴３４に細長く柔軟な紐状部材３６を順番に通して張設し、本体２０のフェースに相当する位置に紐状部材３６から成る網目状の打撃部３８を形成する。細長く柔軟な紐状部材３６としては、テニスラケットやバドミントンラケットに用いられる樹脂製ガットや金属製ワイヤを使用するのが望ましい。本体２０に紐状部材３６を張設して本体２０に打撃部３８を形成する状態を、図３及び図４に基づいて説明する。図３及び図４において、紐状部材３６の張り巡らす位置の変化の例を順に参照番号“１”〜“１９”で示す。なお、変換点を明確に示すために、変換点を図３及び図４において大きな点で示す。位置“２”と位置“３”との間、位置“６”と位置“７”との間、位置“１０”と位置“１１との間、位置“１４”と位置“１５”との間、位置“１８”と位置“１９”との間は、本体２０の表側に紐状部材３６が張設された縦方向の箇所を示す。縦方向では、最初は上から下へ向かい、その次には下から上へ向かい、その後、上から下へと下から上へと、交互に方向を転換する。
【００１５】
次に、位置“４”から位置“５”との間、位置“８”から位置“９”との間、位置“１２”と位置“１３”との間、位置“１６”と位置“１７”との間は、本体２０の裏側から紐状部材３６が見える箇所を示す。また、位置“１”と位置“２”との間、位置“３”と位置“４”との間、位置“５”と位置“６”との間、位置“７”と位置“８”との間、位置“９”と位置“１０”との間、位置“１１”と位置“１２”との間、位置“１３”と位置“１４”との間、位置“１５”と位置“１６”との間、位置“１７”と位置“１８”との間は、通し穴３４に紐状部材３６が通されている箇所を示す。図３及び図４においては、紐状部材３６を縦方向に張設する状態を示すが、横方向に張設する状態は縦方向を直角方向に変位させたものであるので、横方向の張設の説明を省略する。
【００１６】
以上のように構成したサンドウェッジのクラブヘッドでは、本体２０のフェースに相当する空間２２に、ゴルフボールを打つためのものであって紐状部材３６を網目状に張設した打撃部３８と、打撃部３８の間の網目空間４０とが形成される。打撃部３８は空間２２の表側に設けるのが望ましい。網目空間４０は、空間２２と連絡する。打撃部３８は、紐状部材３６を網目状に張設することによって、強い衝撃に耐えることができるものである。網目状の打撃部３８は、本体２０に対して水平方向と垂直方向とに張設したが、斜め方向に張設しても良い。また、打撃部３８の網目形状は、格子形状としたがハニカム状等の多角形の形状にすることも可能である。この結果、各網目空間４０の形状も、正方形や菱形や六角形等の多角形にすることも可能である。
【００１７】
図２の状態から紐状部材３６を張設した状態を図５に示す。図５において、本体２０の裏側の外側環状部３２の上方と下方において、複数の雌螺子部４２を形成する。本体２０の重量の増加と本体の強度の補強をするために、本体２０とは別体の補強部材４４を用いる。補強部材４４には、上部箇所と下部箇所に１個または複数個の貫通穴４６を形成する。本体２０に紐状部材３６を張設して本体２０に打撃部３８を形成した後に、補強部材４４を本体２０の後側の外側環状部３２に接触させ、雄螺子４８を補強部材４４の貫通穴４６を通して、本体２０の外側環状部３２の雌螺子部４２と螺合させる。これによって、補強部材４４を本体２０に着脱自在に固定することができる。補強部材４４の形状は、図６に示すように、アルファベットあるいは数字とし、使用者の名前の頭文字を取り付けるのが望ましい。図６では、２個の補強部材４４を取付けてあるが、１個または３個以上の補強部材４４を取付けることができるようにしても良い。補強部材４４を本体２０に着脱自在としたのは、補強部材４４を本体２０から外すことで、紐状部材３６の張り替えを可能にするものである。
【００１８】
本発明のサンドウェッジのクラブヘッドでは、本体２０のフェースには、ゴルフボールを打つための網目状の打撃部３８と、打撃部３８の網目状の間に形成されるものであって砂を通過させるための前後に貫通する網目空間４０とが形成されている。この網目空間４０は、本体２０のフェースの空間２２と連絡している。本発明のサンドウェッジをバンカーで使用した場合に、サンドウェッジの本体２０がバンカーの砂を掬うようにバンカーに食い込んでも、砂は網目空間４０を通って抜けてゆき、ゴルフボールと網目状の打撃部３８との間に砂が存在しなくなり、打撃部３８がゴルフボールに直接接触できるようになる。よって、所望のベクトル方向にゴルフボールを打ち上げることが可能となり、素人でもバンカーから容易にゴルフボールを出すことができる。
【００１９】
網目状の打撃部３８を紐状部材３６で形成することで、網目空間４０の面積を広くすることが可能となり、サンドウェッジがバンカーに食い込んでも、砂が広い面積の網目空間４０から容易に抜け出ることができ、ゴルフボールを打撃部３８に直接衝突させることができ、素人でもバンカーから容易にゴルフボールを出すことができる。なお、本発明のサンドウェッジは、公式戦には使用は許可されていないが、素人同士のコンペに使用することは可能である。網目状の打撃部３８をテニスラケットやバドミントン等に使用する紐状部材３６で形成する場合に、本体２０の重量が少なくなり、本体２０の強度が弱くなるが、本体２０の裏側に補強部材４４を着脱自在に取付けることで、補強部材４４による本体２０の重量の増加と強度の補強が可能となる。この補強部材４４の形状をアルファベットや数字や図形とすることで、クラブ所有者の識別性を容易にし、アルファベットとすることで、プレゼントにも利用できる。
【００２０】
図２に示すように、本体２０の表側の内側環状部２６は外側環状部２８より例えば約２ミリ裏側に向けて凹んだ状態に形成する。それによって、紐状部材３６を張設して形成した網目状の打撃部３８は、外側環状部２８の外面より内側に備えられるので、紐状部材３６を張設して形成した網目状の打撃部３８の損傷の確率を少なくすることができる。また、図２に示すように、本体２０の裏側の内側環状部３０は外側環状部３２より例えば約２ミリ表側に向けて凹んだ状態に形成する。それによって、本体２０の裏側に張設する紐状部材３６は、外側環状部３２の外面より内側に備えられるので、補強部材４４を本体２０の裏側の外側環状部３２に固定しても、紐状部材３６が補強部材４４で損傷させられることは無い。
【実施例２】
【００２１】
次に，本発明の他の実施例を図７及び図８に基づいて説明する。この実施例２のサンドウェッジのクラブヘッドでは、クラブヘッド本体５０（以下、「本体５０」とする）は、そのフェースに、ゴルフボールを打つための網目状の打撃部５２を形成する。その打撃部５２は本体５０の他の主要部と一体に形成する。網目状の打撃部５２の間には、多数の網目空間５４が形成される。この網目空間５４は、本体５０の表側から裏側にかけて貫通する空間である。打撃部５２及び全ての網目空間５４は、抜き方向を同一方向として形成することで、型成形が可能となり、製造コストを低減することができる。
【００２２】
この実施例２においても、本体５０のフェースに、ゴルフボールを打つための打撃部５２と、砂を通過させるための貫通空間である多数の網目空間５４が形成されている。従って、バンカーでゴルファーが本発明のサンドウェッジを使用した場合に、サンドウェッジがバンカーの砂を掬うようにバンカーに食い込んでも、砂は網目空間５４を通って抜けてゆく。よって、ゴルフボールと打撃部５２との間に砂が存在しなくなり、砂を間に挟むことなく打撃部５２でゴルフボールを直接打つことができるようになる。この結果、所望のベクトル方向にゴルフボールを打ち上げることが可能となり、素人でもバンカーから容易にゴルフボールを出すことができる。
【産業上の利用可能性】
【００２３】
本発明に係るサンドウェッジのクラブヘッドでは、本体のフェースに、ゴルフボールを打つための打撃部と、砂を通過させるための多数の網目空間を形成したことにより、素人ゴルファーがバンカーからゴルフボールを容易に出すことができ、素人ゴルファーのゴルフスコアを向上させることができる。
【符号の説明】
【００２４】
２０  クラブヘッド本体
２２  空間
２６  内側環状部
２８  外側環状部
３０  内側環状部
３２  外側環状部
３４  通し穴
３６  ガット
３８  打撃部
４０  網目空間
４４  補強部材
５０  本体
５２  打撃部
５４  網目空間
【図１】
2010220864.tif 000003
【図２】
2010220864.tif 000004
【図３】
2010220864.tif 000005
【図４】
2010220864.tif 000006
【図５】
2010220864.tif 000007
【図６】
2010220864.tif 000008
【図７】
2010220864.tif 000009
【図８】
2010220864.tif 000010